(57)【要約】【課題】同じ写真スタジオにおいて同じ撮影条件で写真撮影した場合には、同じ仕上りにするスタジオ写真支援システム、スタジオ写真支援プログラム及びスタジオ写真プリント作成システムを提供すること。【解決手段】写真スタジオ毎に設定される参照用基準情報を記憶する記憶手段と、特定の写真スタジオで撮影された画像データを取得する画像データ取得手段と、前記記憶手段に記憶された前記参照用基準情報から選択された特定参照用基準情報に基づいて前記画像データ取得手段で取得した画像データに補正が必要か否か判断する判断手段と、該判断手段で補正が必要と判断された場合に当該画像データを補正する補正手段とを有することを特徴とするスタジオ写真支援システム。【選択図】        図１
2005080125.tif 000002
【特許請求の範囲】
【請求項１】
写真スタジオ毎に設定される参照用基準情報を記憶する記憶手段と、特定の写真スタジオで撮影された画像データを取得する画像データ取得手段と、前記記憶手段に記憶された前記参照用基準情報から選択された特定参照用基準情報に基づいて前記画像データ取得手段で取得した画像データに補正が必要か否か判断する判断手段と、該判断手段で補正が必要と判断された場合に当該画像データを補正する補正手段とを有することを特徴とするスタジオ写真支援システム。
【請求項２】
前記参照用基準情報は、スクリーン色を規定するものであることを特徴とする請求項１記載のスタジオ写真支援システム。
【請求項３】
前記記憶手段に記憶された参照用基準情報は、写真スタジオとスクリーン種の組み合わせ毎にスクリーン色を関連づけたデータテーブル形式で記憶されていることを特徴とする請求項２記載のスタジオ写真支援システム。
【請求項４】
前記参照用基準情報は、肌色を規定するものであることを特徴とする請求項１記載のスタジオ写真支援システム。
【請求項５】
前記記憶手段に記憶された参照用基準情報は、写真スタジオとスクリーン種の組み合わせ毎に肌色を関連づけたデータテーブル形式で記憶されていることを特徴とする請求項３記載のスタジオ写真支援システム。
【請求項６】
コンピュータを、写真スタジオ毎に設定される参照用基準情報を記憶する記憶手段に記憶された前記参照用基準情報から選択された特定参照用基準情報に基づいて、特定の写真スタジオで撮影された画像データを取得する画像データ取得手段で取得した画像データに補正が必要か否か判断する判断手段と、該判断手段で補正が必要と判断された場合に当該画像データを補正する補正手段として機能させることを特徴とするスタジオ写真支援プログラム。
【請求項７】
前記参照用基準情報は、スクリーン色を規定するものであることを特徴とする請求項６記載のスタジオ写真支援プログラム。
【請求項８】
前記参照用基準情報は、写真スタジオとスクリーン種の組み合わせ毎にスクリーン色が規定されることを特徴とする請求項７記載のスタジオ写真支援プログラム。
【請求項９】
前記参照用基準情報は、肌色を規定するものであることを特徴とする請求項６記載のスタジオ写真支援プログラム。
【請求項１０】
前記参照用基準情報は、写真スタジオとスクリーン種の組み合わせ毎に肌色が規定されることを特徴とする請求項９記載のスタジオ写真支援プログラム。
【請求項１１】
前記請求項１〜５のいずれかに記載のスタジオ写真支援システムで生成された画像データに基づき、プリントを作成するプリント作成手段を有することを特徴とするスタジオ写真プリント作成システム。
【発明の詳細な説明】
【技術分野】
【０００１】
本発明は、スタジオ写真支援システム、スタジオ写真支援プログラム及びスタジオ写真プリント作成システムに関し、詳しくは同じ写真スタジオにおいて同じ撮影条件で写真撮影した場合には、同じ仕上りにするスタジオ写真支援システム、スタジオ写真支援プログラム及びスタジオ写真プリント作成システムに関する。
【背景技術】
【０００２】
従来、スタジオ写真館での写真撮影においては、撮影に必要なスタジオの背景や撮影セットは決められており、同じ撮影場所（撮影条件）で撮影されているのが実情である。これは、顧客（被撮影者）の希望により、背景や撮影セットなどの撮影条件を一々変えていたのでは時間や労力がかかり、プリント価格が上昇するなどの問題があるからである。
【０００３】
このように同じ撮影場所（撮影条件）で撮影されていることから、プリントの仕上りは、いつも同じでなければならないことになる。
【０００４】
しかし、現実には、同じ撮影場所（撮影条件）で撮影されていても、プリントの仕上りが同じにならない場合がある。
【０００５】
このような仕上りの違いは、同じスタジオ写真館を利用している顧客やスタジオ業者（撮影業者やラボ業者など）が、例え微差であっても見抜いてしまい、前と同じプリントがほしいという要望があった。
【発明の開示】
【発明が解決しようとする課題】
【０００６】
そこで、本発明は、同じ写真スタジオにおいて同じ撮影条件で写真撮影した場合には、同じ仕上りにするスタジオ写真支援システム、スタジオ写真支援プログラム及びスタジオ写真プリント作成システムを提供することを課題とする。
【課題を解決するための手段】
【０００７】
上記課題は以下の各発明によって解決される。
【０００８】
（請求項１）写真スタジオ毎に設定される参照用基準情報を記憶する記憶手段と、特定の写真スタジオで撮影された画像データを取得する画像データ取得手段と、前記記憶手段に記憶された前記参照用基準情報から選択された特定参照用基準情報に基づいて前記画像データ取得手段で取得した画像データに補正が必要か否か判断する判断手段と、該判断手段で補正が必要と判断された場合に当該画像データを補正する補正手段とを有することを特徴とするスタジオ写真支援システム。
【０００９】
（請求項２）前記参照用基準情報は、スクリーン色を規定するものであることを特徴とする請求項１記載のスタジオ写真支援システム。
【００１０】
（請求項３）前記記憶手段に記憶された参照用基準情報は、写真スタジオとスクリーン種の組み合わせ毎にスクリーン色を関連づけたデータテーブル形式で記憶されていることを特徴とする請求項２記載のスタジオ写真支援システム。
【００１１】
（請求項４）前記参照用基準情報は、肌色を規定するものであることを特徴とする請求項１記載のスタジオ写真支援システム。
【００１２】
（請求項５）前記記憶手段に記憶された参照用基準情報は、写真スタジオとスクリーン種の組み合わせ毎に肌色を関連づけたデータテーブル形式で記憶されていることを特徴とする請求項３記載のスタジオ写真支援システム。
【００１３】
（請求項６）コンピュータを、写真スタジオ毎に設定される参照用基準情報を記憶する記憶手段に記憶された前記参照用基準情報から選択された特定参照用基準情報に基づいて、特定の写真スタジオで撮影された画像データを取得する画像データ取得手段で取得した画像データに補正が必要か否か判断する判断手段と、該判断手段で補正が必要と判断された場合に当該画像データを補正する補正手段として機能させることを特徴とするスタジオ写真支援プログラム。
【００１４】
（請求項７）前記参照用基準情報は、スクリーン色を規定するものであることを特徴とする請求項６記載のスタジオ写真支援プログラム。
【００１５】
（請求項８）前記参照用基準情報は、写真スタジオとスクリーン種の組み合わせ毎にスクリーン色が規定されることを特徴とする請求項７記載のスタジオ写真支援プログラム。
【００１６】
（請求項９）前記参照用基準情報は、肌色を規定するものであることを特徴とする請求項６記載のスタジオ写真支援プログラム。
【００１７】
（請求項１０）前記参照用基準情報は、写真スタジオとスクリーン種の組み合わせ毎に肌色が規定されることを特徴とする請求項９記載のスタジオ写真支援プログラム。
【００１８】
（請求項１１）前記請求項１〜５のいずれかに記載のスタジオ写真支援システムで生成された画像データに基づき、プリントを作成するプリント作成手段を有することを特徴とするスタジオ写真プリント作成システム。
【発明の効果】
【００１９】
本発明によれば、同じ写真スタジオにおいて同じ撮影条件で写真撮影した場合には、同じ仕上りにするスタジオ写真支援システム、スタジオ写真支援プログラム及びスタジオ写真プリント作成システムを提供することができる。
【発明を実施するための最良の形態】
【００２０】
以下、本発明の実施の形態について図面を参照して説明する。
【００２１】
図１は、本発明のスタジオ写真支援プログラムの処理を実現するスタジオ写真支援システムの概略構成の一例を示す図である。
【００２２】
図１において、本発明のスタジオ写真支援システムは、各種処理を行うコンピュータ１００、写真スタジオで撮影した画像データを記録したＣＤ−Ｒから画像データを取得する画像データ取得手段としてのＣＤドライブ２００、画像の表示を行う表示手段としてのモニタ３００、各種入力を行うキーボード４００及びマウス５００により構成されている。また、上記構成に加え、プリント手段としてのプリンタ６００を設け、後述するプリント処理を行うことによって、スタジオ写真プリント作成システムを構成することも好ましい。
【００２３】
コンピュータ１００は、本発明のスタジオ写真支援プログラムをインストールすることにより、モニタ３００、キーボード４００及びマウス５００、プリンタ６００を制御しつつ各種処理を行う。
【００２４】
ＣＤドライブ２００は、ＣＤ等の写真スタジオで撮影した画像データを記録した記録媒体から画像データ取得手段として画像データを取得する。本発明においては、画像データ取得手段としては、ＣＤドライブの他に、メモリースティック、メモリーカード等から画像データを取得するドライブ等、画像データを記録しうる記録媒体から画像データを取得できる装置であれば特に限定されない。
【００２５】
モニタ３００は、コンピュータ１００の制御に基づいて入力された写真スタジオから取得された画像データを必要に応じて表示する。モニタ３００は、必要に応じてタッチパネルの機能を持ち、入力装置を兼ねることもできる。モニタ３００等の表示手段は必須の構成ではないが、表示手段を設けて表示することによってオペレータが画像を確認することができるので設けることが好ましい。
【００２６】
キーボード４００及びマウス５００は、必要に応じてユーザが入力するための装置として用いられる。
【００２７】
また、本発明のスタジオ写真支援システムにおいてコンピュータ１００は図示しない通信手段によって写真スタジオとデータの送受をすることができることが好ましい。通信手段は、有線と無線のいずれでもよく、インターネット、ＬＡＮ、専用の通信回線等、その形態は問わない。本発明では、かかる通信手段により画像データを取得することができる。その場合、通信手段は、画像データ取得手段として機能する。
【００２８】
図２は本発明のスタジオ写真支援システムに用いられるコンピュータ１００の一例を示すブロック図である。
【００２９】
コンピュータ１００は、スタジオ写真支援システムの各部を制御するメイン制御部１０１と、プログラムを格納したり参照用基準情報やその他各種データを記憶したりする主記憶部１０２と、写真スタジオで撮影した画像データの入力を受け付ける画像入力部１０３と、表示手段の表示を制御する表示制御部１０４と、ユーザの操作入力を受け付ける操作入力部１０５と、入力された画像データの補正が必要か否かを判断する判断処理部１０６と、画像データの補正処理を行う補正処理部１０７と、外部装置とのデータの送受を行うための外部通信部１０８とを備えている。
【００３０】
また、必要に応じて前記スタジオ写真支援システムで処理後の画像データをプリントデータとして出力するためのプリントデータ出力部１０９を設けることによって、スタジオ写真プリント作成システムとすることができる。
【００３１】
本発明のスタジオ写真支援システムにおいて、取得する画像データは、例えば、図３に示すような写真スタジオにおいて撮影することによって得ることができる。
【００３２】
図３において、１は被写体であり、２は被写体１を撮影して画像データを得るための撮影手段としてのカメラであり、３は被写体１の背景となるスクリーンであり、４は被写体      
【００３３】
１を撮影する際に光を照射するためのフラッシュである。
写真スタジオは、１つの写真館について１又は２以上が設けられている。また、写真スタジオは、１又は２種類以上のスクリーン３を有している。
【００３４】
本発明のスタジオ写真支援システムにおいては、各写真スタジオのスクリーン３の種類毎にフラッシュ４を照射して撮影したときに得られた画像における、スクリーン３の色であるスクリーン色、又は被写体１が人物である場合は該人物の肌の色である肌色を規定する情報を参照用基準情報として予め決めておく。
【００３５】
参照用基準情報は、主記憶部１０２等の記憶手段に記憶される。主記憶部１０２以外の記憶手段としては、読み取り可能な記録媒体も用いることができる。持ち運び可能な記録媒体を記憶手段とすると、写真館毎に参照用基準情報を記録媒体に記憶し、該記録媒体を取り替えれば、処理する写真に応じて参照用基準情報を適宜に変更することができるので好ましい。また、参照用基準情報は、例えば、キーボード４００及びマウス５００を用いて入力し、該入力を操作入力部１０５により受け付けて前記主記憶部１０２に記憶された情報を更新する等の方法により後から適宜に変更できるようにすることも、顧客の嗜好の変化に対応できる点で好ましい。
【００３６】
また、参照用基準情報は、写真スタジオとスクリーン種の組み合わせ毎にスクリーン色を関連づけたデータテーブル形式や写真スタジオとスクリーン種の組み合わせ毎にスクリーン色を関連づけたデータテーブル形式で記憶手段に記憶されることが好ましい。写真スタジオにおいては、通常同じ強度でフラッシュが被写体に照射されるが、照射された光の反射光によって撮影された画像は、背景であるスクリーンの種類によって画像の具合が変化する。従って、写真スタジオに加えて、スクリーン種をパラメータとして参照用基準情報を決定することによって、より撮影条件を正確に区別することができる。
【００３７】
図４及び図５は、主記憶部１０２に記憶された参照用基準情報の一例及び他の例を示す図である。
【００３８】
参照用基準情報は、図４又は図５に示すようなデータテーブルの形式とすることができる。データテーブルは、写真館毎に設けてもよいし、写真館のスタジオ毎に設けても良いが、図示の例では、写真館毎にデータテーブルを設けている。
【００３９】
参照用基準情報は、スクリーン色を規定する場合は、例えば図４に示すようなデータテーブルとすることができ、肌色を規定する場合は、例えば図５に示すようなデータテーブルとすることができる。
【００４０】
図４に示すような参照用基準情報がスクリーン色による場合は、過去のプリントの主画像（被写体）以外の周辺をＮ点測定して、各スクリーンの平均値L*u*v*をスクリーン色として使用する。そして、その色と同じ色を出力出来るプリンターのＲ・Ｇ・Ｂの画像デジタル値を得る。周辺のＮ点は、例えば、図６に示すように画像の主画像（人）以外の周辺Ｎ点の決めた測定位置Ａ，Ｂ，Ｃ，Ｄ（画像内で人の立つ位置はだいたい画像の中心になっている）における、プリンターデータのデジタル画像値（Ｒ・Ｇ・Ｂ）からL*u*v*に変換して、その平均値を使用する（各スクリーンの平均値L*u*v*を使用する）。図６において、Ｓは画像、Ｐは測定点である。
【００４１】
また、図５に示すような参照用基準情報が肌色による場合は、肌色の範囲をヒューアングル（色相角：huv）で規定する。
【００４２】
huv＝arctan（u*／v*）
【００４３】
過去のプリントの主画像（人）の顔Ｎ点を測定して、顔の平均値L*u*v*から平均色相角（huv）得る。なお、同じスタジオとスクリーンでは照明環境は同じとする。
【００４４】
次に、本発明のスタジオ写真支援プログラムによって制御されて実現するスタジオ写真支援システムの動作について以下詳細に説明する。
【００４５】
図７は、本発明のスタジオ写真支援プログラムによって制御される図１のプリント用画像データ生成システムの処理フローを示す図である。
【００４６】
図７において、画像データ取得手段で処理画像の画像データを他の画像として取得する（Ｓ１）。
【００４７】
画像データの取得のトリガーとしては、図示しないキーボードやマウス等の入力手段によりユーザの画像データを取得する旨の指示を受け付けたこと、あるいはコンピュータの図示しない制御部（本発明のスタジオ写真支援プログラムが処理されることによって実現する）が自動的に所定のタイミングと判断したことがトリガーとなる。
【００４８】
画像データの取得は、画像入力部１０３において制御部の制御に基づいて画像データを取得することによりなされる。具体的には、上記のいずれかのトリガーがあったと判断されたときに、ＣＤドライブ２００等の画像データ取得手段において記録媒体から画像データを読み取った画像データを取得したり、画像データを記録した例えばコンパクトフラッシュ（登録商標）、スマートメディア、メモリースティック（登録商標）、マルチメディアカード、ＳＤメモリーカード、フレキシブルディスク、ＭＯ、ＣＤ−Ｒ等の外部記録媒体から又は外部通信部１０８を介して画像データを取得する。
【００４９】
尚、Ｓ１の処理は本発明のスタジオ写真支援プログラム自体が行う必要はない。
【００５０】
次いで、前記画像データ取得手段で取得された画像データに補正が必要か否かを判断する（Ｓ２）。
【００５１】
画像データが取得されると、判断処理部１０６において、主記憶部１０２に記憶された参照用基準情報に基づいて、該画像データに補正が必要か否かが判断される。
【００５２】
判断処理部１０６における判断は、参照用基準情報が図４に示すようなスクリーン色の場合は、具体的には、参照用基準情報のデータテーブルから、撮影したスタジオとスクリーン種に対応するスクリーン色を特定参照用基準情報とし、対象となる画像データのスクリーン色を抽出し、抽出したスクリーン色を特定参照用基準情報のスクリーン色と対比して補正が必要か否かを判断する。特定参照用基準情報は、スタジオＡ・スクリーン１を使用した撮影では、スクリーン色データは図２から、スクリーン色データは、Ｌ*＝70，u*＝0.3，v*＝0.1であり、この情報を選択する。補正が必要か否かは、対比した結果、抽出したスクリーン色の値が特定参照用基準情報のスクリーン色の値から所定の範囲にない場合に補正が必要であると判断することが好ましい。所定の範囲は、必要に応じて決定することができる。
【００５３】
また、判断処理部１０６における判断は、参照用基準情報が図５に示すような肌色の場合は、具体的には、参照用基準情報のデータテーブルから、撮影したスタジオとスクリーン種に対応する肌色を特定参照用基準情報とし、画像データの肌色を抽出し、抽出した肌色を特定参照用基準情報の肌色と対比して補正が必要か否かを判断する。補正が必要か否かは、対比した結果、抽出した肌色の値が特定参照用基準情報の肌色の値から所定の範囲にない場合に補正が必要であると判断することが好ましい。所定の範囲は、必要に応じて決定することができる。
【００５４】
Ｓ２において、補正が必要でないと判断された場合は処理を終了する。
【００５５】
一方、補正が必要であると判断された場合は、画像データの補正を行う（Ｓ３）。
【００５６】
判断処理部１０６において補正が必要であると判断されると、補正処理部１０７において、画像データに対して補正処理を行う。
【００５７】
補正処理は、補正データを生成して、該補正データに基づいて補正を行う。
【００５８】
補正処理について、参照用基準情報がスクリーン色の場合を例に挙げて説明する。
【００５９】
まず、補正データ（補正値）を生成する。具体的には、上記スクリーン色の抽出方法に従って、対象スクリー色：平均値L*n・u*n・v*nを得る。次いで、図４のスクリンーンデータ：平均値L*s・u*s・v*sから補正値（△L*，△u*，△v*）を得る。このとき、△L*＝L*n−L*s，△u*＝u*n −u*s ，△v*＝v*n −v*sである。
【００６０】
次いで、かかる補正データに基づいて補正を行う。プリント画像データ：Rm・Gm・Bmを変換してL*m・u*m・v*mを得る。次いで、L*m・u*m・v*mから、補正値（△L*，△u*，△v*）を引いて、L*m`・u*m`・v*m`を得る。次いで、L*m`・u*m`・v*m`を逆変換して補正プリント画像データRm`・Gm`・Bm`を得る。
【００６１】
これらを整理すると、（Rm，Gm，Bm）→変換→（L*m，u*m，v*m）
L*m`＝L*m−△L*，u*m`＝u*m−△u*，v*m`＝v*m−△v*
（L*m`，u*m`，v*m`）→逆変換→（Rm`，Gm`，Bm`）である。
【００６２】
参照用基準情報が肌色の場合は、スクリーン色が図５の肌色に変えることによって、上記と同様に処理することができる。
【００６３】
このようにして、本発明のスタジオ写真支援システムはＳ１乃至Ｓ３の処理によって、同じ撮影条件で撮影した場合には、同じ仕上がりの画像を得ることができる画像データを作成することができる。
【００６４】
本発明のスタジオ写真支援システムにより得られた画像データは、必要に応じて設けられるプリントデータ出力部１０９を介してプリントデータとしてプリンタ６００に出力することによって、同じ撮影条件で撮影した場合には、同じ仕上がりのプリントを得ることができる。
【００６５】
本発明のプログラムは、プリント用の画像データ生成を行う写真スタジオや現像ラボなどのコンピュータにインストールしたりして実施可能になるが、インストールする手段は本発明のプログラムを記憶保存してなる記録媒体を介して行ってもよいし、あるいはネット経由でプログラムをダウンロードしてもよい。
【００６６】
尚、上記の態様では、メイン制御部１０１と表示制御部１０４、判断処理部１０６、補正処理部１０７とを別々の装置として説明したが、各制御及び処理を行うためのプログラムを記憶したＲＯＭやＲＡＭ等の主記憶装置と該プログラムを演算処理するＣＰＵ等の演算装置により一体として構成することができる。
【図面の簡単な説明】
【００６７】
【図１】本発明のスタジオ写真支援プログラムの処理を実現するスタジオ写真支援システムの概略構成の一例を示す図
【図２】本発明のスタジオ写真支援システムに用いられるコンピュータの一例を示すブロック図
【図３】撮影する写真スタジオの例を示す図
【図４】データテーブルの一例を示す図
【図５】データテーブルの他の一例を示す図
【図６】Ｎ点を説明するための図
【図７】本発明のスタジオ写真支援プログラムによって制御されるスタジオ写真支援システムの処理フローを示す図
【符号の説明】
【００６８】
１：被写体
２：カメラ
３：スクリーン
４：フラッシュ
１００：コンピュータ
１０１：メイン制御部
１０２：主記憶部
１０３：画像入力部
１０４：表示制御部
１０５：操作入力部
１０６：判断処理部
１０７：補正処理部
１０８：外部通信部
１０９：プリントデータ出力部
２００：ＣＤドライブ
３００：モニタ
４００：キーボード
５００：マウス
６００：プリンタ
【図１】
2005080125.tif 000003
【図２】
2005080125.tif 000004
【図３】
2005080125.tif 000005
【図４】
2005080125.tif 000006
【図５】
2005080125.tif 000007
【図６】
2005080125.tif 000008
【図７】
2005080125.tif 000009